(57)【特許請求の範囲】
【請求項１】
離脱防止システムを備えた壁付け戸棚用吊り下げ組物（２０）であって、
前記組物（２０）は、前記壁付け戸棚に固定されるようになった吊りブラケット（２１）と、壁支持体（２２）とを含み、前記吊りブラケット（２１）は、フック（２４）を備え、前記壁支持体（２２）は、前記フック（２４）の収納受座（３０）を有し、前記吊りブラケット（２１）は、前記フック（２４）を前記収納受座（３０）内に嵌め込むと、前記フック（２４）の離脱を阻止するよう前記収納受座（３０）内に挿入可能なピン（２５，２５０）を有し、前記吊りブラケット（２１）は、スライダ（２３）及び前記組物（２０）の高さの調節を可能にするよう前記スライダ（２３）の移動を案内する滑りガイド（３５）を有し、前記フック（２４）及び前記ピン（２５）は、前記スライダ（２３）に結合され、前記フック（２４）は、前記組物（２０）の深さの調節を可能にするよう前記スライダの対応の受座内に嵌め込まれるようになったねじ山付きステム又はレッグ（２４Ｂ）を有し、前記フック（２４）の前記ねじ山付きステム（２４Ｂ）の長さは、前記ピン（２５）のねじ山付きステム（２５Ｂ）の長さに等しい又はこれよりも短いことを特徴とする組物（２０）。
【請求項２】
前記ピン（２５，２５０）は、前記フック（２４）と一線をなして前記フック（２４）と同一の垂直平面に組み付けられている請求項１記載の組物（２０）。
【請求項３】
前記ピン（２５）は、前記吊りブラケットの組み付け状態において前記フック（２４）の上方に組み付けられる請求項１又は２に記載の組物（２０）。
【請求項４】
前記ピン（２５，２５０）及び前記フック（２４）は、互いに平行に前記スライダ（２３）から延びている請求項１乃至３の何れか１項に記載の組物（２０）。
【請求項５】
“Ｙ”が前記ピン（２５）と前記フック（２４）の２本の長手方向軸線相互間の距離であり、
“ｒ”が前記ピン（２５）の前記ねじ山付きステム（２５Ｂ）の半径であり、
“Ｒ”が前記フック（２４）の前記ねじ山付きレッグ（２４Ｂ）の半径であり、
“Ｄ”が前記収納受座（３０）の下縁（２７Ｃ）と上縁（２７Ａ）との間の距離に等しい前記収納受座（３０）の垂直寸法であり、
“Ｈ”が前記ねじ山付きレッグ（２４Ｂ）の端から測定して前記フックの拡大ヘッド（２４Ａ）の半径方向寸法であるとした場合、
以下の関係式、即ち、
Ｈ＞Ｄ−（ｒ＋Ｒ＋Ｙ）
が成り立つ請求項１乃至４の何れか１項に記載の組物（２０）。
【請求項６】
前記収納受座（３０）は、連続周縁（２７Ａ，２７Ｂ，２７Ｃ，２７Ｄ）により画定されている請求項１乃至５の何れか１項に記載の組物（２０）。
【請求項７】
前記収納受座（３０）は、不連続周縁によって画定されている請求項１乃至５の何れか１項に記載の組物（２０）。
【請求項８】
前記ピン（２５，２５０）は、前記スライダのねじ山付き受座内での前記ピンの回転を停止させる停止手段を有する請求項１乃至７の何れか１項に記載の組物（２０）。
【発明の詳細な説明】
【技術分野】
【０００１】
本発明は、離脱防止システムを備えた壁付け戸棚用吊り下げ組物に関する。
【背景技術】
【０００２】
吊り下げ組物、特に隠し形式の吊り下げ組物（戸棚の後側に組み付けられ、したがって組み立て時にはほぼ見えない）は、通常、戸棚に固定されるべき吊りブラケットと、通常ペグ及びねじ又は類似の部品により戸棚に固定される壁支持体とを含む。
【０００３】
これらの形式の組物では、吊りブラケット器具は、壁の方向において戸棚の背後に延びる互いに垂直な２つの方向に（具体的に言えば、高さ及び深さ、即ち、壁から垂直高さ及び垂直距離のところに）調節可能なフックを有し、フックは、壁に固定された支持体に係合する。
【０００４】
これら器具に共通の課題は、壁からの戸棚の偶発的な脱落を阻止するための離脱防止機能が提供されていない場合が多いということにある。「離脱」という用語は、本明細書及び添付の特許請求の範囲の記載において、支持体からの器具の偶発的な離脱を意味している。
【０００５】
この意味において、事実、公知の器具では、戸棚に上方に作用する力により、フックが支持体から離脱する場合があり、その結果、戸棚が落下する。
【０００６】
この目的のため、この機能を発揮する離脱防止システムを更に含む吊り下げ組物が知られている。
【０００７】
これら公知の解決手段のうちの１つは、例えば、フェラメンタ・リベンザ・エス・アール・エル（FERRAMENTA LIVENZA S.r.l）名義の欧州特許出願公開第２１４９３１６号明細書に記載されている。
【０００８】
この解決手段では、組物の吊りブラケット器具は、フックとドエル（だぼ）との両方を支持したスライダを備え、ねじ山付きドエルは、フックの下で（作動状態において）スライダ上に位置し、このねじ山付きドエルは、壁に固定されていて、実質的に直線状の輪郭形状を有すると共にフックに係合する支持体と協働するのに適している。
【０００９】
離脱防止機能は、ねじ山付きドエルがフックを支持体に係合させるときにこの方向に延長され、ついには、それにより支持体からのフックの離脱を阻止するような摩擦が生じることによって得られる。
【００１０】
しかしながら、この解決手段は、これが機能的であるとしても、壁支持体からの器具の側方取り外しを阻止することはなく、かかる側方取り外しは、例えば、戸棚に加わる偶発的な横からの衝撃によって生じる場合があり、この衝撃は、事実、フックを支持体それ自体の端まで支持体上で側方に動かし、それにより戸棚の落下が避けられなくなる。
【００１１】
さらに、この解決手段には、フックの下へのねじ山付きドエルの必要な位置決めに由来する別の欠点があり、ドエルは、事実、支持体の形状によって構成される外側アンダーカット（壁とは反対の方向に向いている）内に嵌まり込む。
【００１２】
事実、この構成により、ドエルのヘッドと支持体を壁に固定するために用いられる固定用ねじのうちの１本との間に潜在的な干渉が生じる。
【００１３】
この干渉（これは、離脱防止システムの正確な機能発揮を阻止する）を回避するため、欧州特許出願公開第２１４９３１６号明細書では、吊り下げ箇所（フックが支持体に載っている箇所）と支持体の壁への固定箇所との間の水平距離は、長い。
【００１４】
しかしながら、この手段により、アームが長くなるので支持体のねじに加わる戸棚の重量である力の回転モーメントが増大する。
【００１５】
その結果、大きな荷重（例えば、重い戸棚又はかなり大きな荷重を有した戸棚）に起因して複数の吊り下げ組物（荷重を分布させるため）、壁に対する多数の固定用ねじ又は変形例として極めて頑丈な構造が計画されなければならず、結果的にコスト高になる。
【００１６】
変形例として、ドエルは、支持体の固定用ねじが存在していない箇所に組み込まれる場合があり（例えば、これら固定用ねじの側部が組み付けられているので）、一方において、これが壁に垂直な平面上に加わる力としての重量によるモーメントを制限する場合、壁に垂直な平面上に別の力としての重量によるモーメントが生じ、このために、吊り下げ箇所から等距離を置いたところで支持体上に位置決めされる壁に対する対をなす固定用ねじがこれに対向するために必要であり、これには、かなり複雑な構成及び組み立ての際の高い精度が必要になる。
【００１７】
他方、壁及び吊り下げ箇所への支持体の固定用ねじを共通垂直線に沿って整列させて壁に平行な平面に加わる力としての重量のアームをゼロにし、その結果としてこれと関連した各回転モーメントをゼロにすることが好都合である。
【００１８】
注目されるべきこととして、これら吊り下げ組物を提供する際のありふれたやり方は、組み立てを大幅に簡単にして素人としてのユーザが安価な吊り下げ組物を用いて組み立てだけを行うことができるようにすることである。
【００１９】
したがって、離脱防止機能を保証するために、特許文献１（欧州特許出願公開第２１４９３１６号明細書）に記載された解決手段は、上述の欠点に鑑みてこのやり方を満足させることがないと言える。
【００２０】
離脱防止システムを備えた他の公知の組物は、一般に、比較的大きな構成又は組み立て上の問題を更に有する。
【先行技術文献】
【特許文献】
【００２１】
【特許文献１】欧州特許出願公開第２１４９３１６号明細書
【発明の概要】
【発明が解決しようとする課題】
【００２２】
したがって、上述したことから判断して、離脱防止機能を有する壁付け戸棚用の吊り下げ組物であって、構成及び設置が簡単であり、しかも戸棚に加わる偶発的な側方衝撃が存在する場合でも結合を保証する吊り下げ組物を利用することが特に望ましい。
【００２３】
したがって、本発明の一般的な目的は、この目的を達成する壁付け戸棚用吊り下げ組物を提供することにある。
【００２４】
この目的は、請求項１に記載された特徴並びに従属形式の請求項に記載された特徴を有する壁付け戸棚用吊り下げ組物によって達成される。
【００２５】
概要を述べると、本出願人は、離脱防止システムを備えた壁付け戸棚用吊り下げ組物であって、組物は、壁付け戸棚に固定されるようになった吊りブラケットと、壁支持体とを含み、吊りブラケットは、フックを備えていて、組物において、支持体は、フックの収納受座を有し、吊りブラケットは、フックを受座内に嵌め込むと、フックの離脱を阻止するよう受座内に挿入可能なピンを有することを特徴とする組物という発明をした。
【００２６】
このように、以下の詳細な説明で良好に理解できるように、公知技術の欠点が解決されている。
【００２７】
別の有利な特徴は、本明細書の一体部分であると考えられるべき従属形式の請求項の内容である。本発明の構造的及び機能的特徴並びに公知技術と比較した場合のその利点は、添付の図面を参照して行われる以下の説明から明らかになると考えられ、添付の図面は、発明それ自体の考えられる実用的な実施形態を示している。
【図面の簡単な説明】
【００２８】
【図１】本発明の離脱防止システムを備えた壁付け戸棚用吊り下げ組物の斜視図である。
【図２】本発明の離脱防止システムを備えた壁付け戸棚用吊り下げ組物の斜視図である。
【図３】図１及び図２の組物の一部である吊りブラケットの１つの図である。
【図４】図１及び図２の組物の一部である吊りブラケットの別の図である。
【図５】図１及び図２の組物の一部である吊りブラケットの別の図である。
【図６】図１及び図２の組物の一部である支持体の１つの図である。
【図７】図１及び図２の組物の一部である支持体の別の図である。
【図８】図１及び図２の組物の一部である支持体の別の図である。
【図９Ａ】図１及び図２の組物の組み立て段階の３つの連続した時点のうちの１つを示す図である。
【図９Ｂ】図１及び図２の組物の組み立て段階の３つの連続した時点のうちの別の１つを示す図である。
【図９Ｃ】図１及び図２の組物の組み立て段階の３つの連続した時点のうちの別の１つを示す図である。
【図１０】図３〜図５の支持体の第１の変形例の１つの図である。
【図１１】図３〜図５の支持体の第１の変形例の別の図である。
【図１２】図３〜図５の支持体の第１の変形例の別の図である。
【図１３Ａ】２つの互いに異なる組み立て条件における支持体の第２の変形例の１つの図である。
【図１３Ｂ】２つの互いに異なる組み立て条件における支持体の第２の変形例の別の図である。
【図１４Ａ】図１３Ａの組み立て条件に対応した１つの組み立て条件における支持体の第２の変形例の断面図である。
【図１４Ｂ】図１３Ｂの組み立て条件に対応した１つの組み立て条件における支持体の第２の変形例の断面図である。
【図１５】図１及び図２の組物の寸法入り詳細図である。
【図１６Ａ】３つの組み立て時点のうちの１つにおける図１〜図１５の組物の変形例を示す図であり、これらの図の対応の拡大細部を示す図である。
【図１６Ｂ】３つの組み立て時点のうちの別の１つにおける図１〜図１５の組物の変形例を示す図であり、これらの図の対応の拡大細部を示す図である。
【図１６Ｃ】３つの組み立て時点のうちの別の１つにおける図１〜図１５の組物の変形例を示す図であり、これらの図の対応の拡大細部を示す図である。
【発明を実施するための形態】
【００２９】
図１及び図２を参照すると、これらの図は、本発明の離脱防止システムを備えた壁付け戸棚用吊り下げ組物を示しており、この吊り下げ組物は、全体が２０で示されている。
【００３０】
組物２０は、吊りブラケット器具２１及び垂直壁に固定されるようになった支持体２２を含み、吊りブラケット２１は、壁付け戸棚の吊り下げを達成するよう支持体２２と協働するフック２４を備えており、図１及び図２には、器具２１が支持体２２と係合位置にある状態で組物２０が示されている。
【００３１】
離脱防止システムは、器具２１から突き出ていて、自由端部２５Ａが器具２１の近くに位置する第１の組み立て位置（図９Ａで見える）と自由端部２５Ａが器具２１から見て遠くに位置する第２の係合位置（図９Ｂに見える）との間で動かすことができるピン２５又はねじ山付きドエルを有する。
【００３２】
支持体２２は、受座３０を備え、この受座は、この実施例では、連続周縁２７Ａ，２７Ｂ，２７Ｃ，２７Ｄにより画定されており、これら周縁のうちの少なくとも１つは、ピン２５が上述の第２の位置にあると共にフック２４が受座３０と係合しているときに支持体２２からの器具２１の離脱を阻止するようピン２５に当たるのに適している。
【００３３】
具体的に説明すると共に更に図３〜図５を参照すると、器具２１は、直線ガイド３５が設けられている実質的に平べったい又は板状本体４１を有し、この直線ガイドは、本体４１の少なくとも一部に沿って動くことができるスライダ２３を案内する。
【００３４】
本体４１は、本体４１に対して側方に延びる組み立てインサート４２を備え、これら組み立てインサートは、通常、インサート４２を収容した対応のキャビティを備えている壁付け戸棚の側壁のうちの１つ（戸棚の「肩」と呼ばれる場合が多い）上への本体４１の組付けを可能にする。
【００３５】
スライダ２３は、フック２４とピン２５の両方を支持し、ピン２５は、フックの位置に対して上方の位置、即ち、器具を組み付けたとき、フック２４の吊り下げ位置の上方の位置でスライダ２３に組み付けられる。
【００３６】
したがって、ピン２５は、スライダ２３及びフック２４の並進運動と一緒に動き、その結果、器具２１の最大広がり平面に平行な平面上でのこれらの直線運動は、同一である。
【００３７】
ピン２５とフック２４の両方は、それぞれ符号２５Ｂ，２４Ｂで示されたねじ山付き本体を備え、かかるねじ山付き本体は、スライダ２３に設けられている対応のねじ山付き穴に嵌まり込む。
【００３８】
したがって、ピン２５の自由端部２５Ａを単にピン２５をねじ込み又はねじ戻すことによってスライダ２３に対し（その結果、最終的には、器具２１それ自体に対して）動かすことができ、ピン２５は、この目的のために、自由端部２５Ａと反対側のそのヘッド２５Ｃに設けられた工具（例えば、ねじ廻し）用の切欠きを備えている。
【００３９】
特に、ピン２５をねじ込み又はねじ戻すことによって、このピンを上述した２つの別々の位置（組み立て位置及び係合位置）に動かすことができる。
【００４０】
ピン２５は、好ましくは、フック２４と一線をなしてフック２４の真上でスライダ２３上に位置決めされており、その結果、組み立て時、これらが実質的に同一の垂直線上に位置するようになる。
【００４１】
ピン２５とフック２４の他の往復動構成例を用いることも可能であることは注目されるべきであり、但し、ピン２５は、フック２４と同一の受座内に嵌め込まれるように構成されていることを条件とする。
【００４２】
ピン２５に関し、これは、ねじ山付き本体２５Ｂに加えて、好ましくは、そのヘッド２５Ｃと一致して位置する回転停止手段を備え、この回転停止手段は、ヘッド２５Ａの拡大部として図示されている。
【００４３】
オプションであるこの停止手段は、ユーザがスライダ２３のそのねじ山からのピン２５の離脱を生じさせるほどピンがフック２４のヘッドの方向に突き出るまでピン２５を誤ってねじ込むのを阻止するのに適している。
【００４４】
図９Ａ〜図９Ｃの説明に関し一段と明確に理解できるように、これにより、器具２１の固有の安全性を高めることができる。
【００４５】
停止部に関し、これは、ヘッド２５Ｃの拡大部として示されているが、これは、レッグ２５Ｂのねじ山の連続性の中断（途切れ）によって類似的に置き換え可能であり、かかる中断部は、ヘッド２５Ｃの近くに位置する本体２５Ｂの終端部のねじ山を平らにすることによりピン２５の完全な離脱を阻止し、或いは、この停止部は、ねじ山の連続性を中断する溶接箇所又はこの目的に適した他の手段によって類似的に置き換え可能である。
【００４６】
この点に関し、注目されるべきこととして、同様な理由で、停止手段は又、ピン２５の自由末端部２５Ａの近くに同様に想定でき、その結果、ピン２５をスライダ２３のそのねじ山付き受座内で軸方向に動かすことができるが、これから離脱することができないようになる。
【００４７】
この実施形態の結果として得られる利点につき図９Ａ〜図９Ｃを参照して明確に説明する。
【００４８】
フック２４に関し、これは、ねじ山付きレッグ２４Ｂ端部のところに位置決めされていて、支持体２２に係合するのに適した拡大ヘッド２４Ａを備えた自由端部を有している。
【００４９】
スライダ２３に関し、これをねじ山付きドエル２８の存在により直線ガイド３５に沿って動かすことができ、ねじ山付きドエル２８は、スライダ２３それ自体中にねじ込まれて器具２１の本体４１の固定縁４５部分に当てられ、ねじ山付きドエル２８をねじ込み又はねじ戻すことによって、スライダ２３は、直線ガイド３５内で動く。
【００５０】
したがって、上述したことに照らして、組物の調節機構体は、互いに対して垂直な２つの方向、即ち、水平方向と垂直方向に作用するようになった深さ及び高さに関する別々の調節機構体であるものとして識別できる。
【００５１】
深さ調節機構体は、フック２４のねじ山付きレッグ２４Ｂを含み、それにより、拡大ヘッド２４Ａを水平に動かすことができ、最終的に、器具２１が固定される壁付け戸棚の水平変位が得られる。
【００５２】
他方、高さ調節機構体は、フック２４が組み付けられたスライダ２３、スライダ２３を通る直線受座３５及び固定縁部４５に作用することによってスライダ２３、その結果としてのフック２４の運動を生じさせ、最終的に器具２１が固定されている壁付け戸棚の垂直運動を生じさせるねじ山付きドエル２８を含む。
【００５３】
器具２１の本体４１は、オプションとして、本体４１を戸棚の後側（通常、「カバー」と呼ばれる）に固定することができるようになった別の固定穴を更に備えるのが良い。
【００５４】
理解できるように、ピン２５のねじ山付き部分の長さ及びフック２４の長さは、実質的に同一であり、したがって、ピン２５の自由端部２５Ａ及びフック２４の拡大ヘッド２４Ａをこれらが図５に示されているように等しい距離のところでスライダから突き出るまで動かすことができる。
【００５５】
支持体２２に関し、この非限定的な実施例が図６〜図８に示されている。
【００５６】
支持体２２は、この目的のために垂直側部又は壁に固定されるようになっており、この支持体は、組み立てペグＶ（図９Ａ〜図９Ｃに見える）が収納される穴又は組み立てスリット３１を備えている。
【００５７】
本発明の開示によれば、支持体２２は、それぞれ参照符号２２Ａ，２２Ｂで示された本体の第１の部分及び第２の部分を有する。
【００５８】
上述の組み立て穴３１は、本体２２Ｂの第２の部分に位置決めされ、これは、組み立て時、図９Ａ〜９Ｃに示されているように垂直壁と接触関係をなして配置されるのに適している。
【００５９】
本体の第１の部分２２Ａと第２の部分２２Ｂの両方は、それぞれ、図８にｘ，ｚで示された平面上に位置し、２つの平面ｘ，ｚは、互いに一致しておらず、或る特定の距離を置いたところに位置した状態で互いに実質的に平行である。
【００６０】
本体の第１の部分２２Ａは、フック２４のヘッドの収納受座３０を有し、この収納受座は、図示の実施例では、周縁２７Ａ，２７Ｂ，２７Ｃ，２７Ｄから成る周辺閉鎖フレームによって画定されており、これら周縁は、これらがピン２５又はピン２５が上述の第２の位置にあると共にフック２４が受座３０内に嵌まり込んでいるときにフック２４に当たるのに適しているのでバッファとして働き、この観点については、図９Ａ〜図１０Ｃを参照して以下に詳細に説明する。
【００６１】
図示の実施例では、周縁２７Ａ，２７Ｂ，２７Ｃ，２７Ｄは、その受座３０を画定するフレームの側部を形成し、したがって、受座３０は、実質的に、本体の第１の部分２２Ａの同一平面Ｘ上に位置し、具体的に説明すると、上縁２７Ａ、下縁２７Ｃ及び２つの側縁２７Ｂ，２７Ｂを識別することができる。
【００６２】
上述の組物２０の機能及びその離脱防止機能は、図９Ａ〜図９Ｃを吟味すると明らかであり、図９Ａ〜図９Ｃは、組み立て段階の３つの連続した時点を示しており、かかる組み立て段階では、支持体２２をペグＶ及び受座３０内に収容された対応のねじによって垂直壁Ｍにどのように固定するかが理解できる。
【００６３】
この状態では、本体の第２の部分２２Ｂは、壁と接触関係に置かれ、これに対し、第１の部分２２Ａは、壁Ｍから僅かに距離を置いて位置している。
【００６４】
これらの図の吟味から、ピン２５のヘッド２５Ｃの停止手段によって発揮される安全機能も又明らかである。
【００６５】
図９Ａでは、フック２４の拡大ヘッド２４Ａを受座３０内に挿入し、ついには、ヘッド２４Ａのアンダーカットを受座３０の下縁２７Ｃに当て、かくして、器具２１と支持体２２との間に結合又はフッキングが生じ、この状態では、フック２４のヘッド２４Ａは、器具２１から遠くの引っ込み位置にあり、これに対し、ピン２５は、第１の位置にあり、即ち、その自由末端部２５Ａは、器具２１の近くに位置する。その結果、ピン２５の自由端部２５Ａとフックの拡大ヘッド２４Ａは、器具２１から同一器具のところでは整列せず、これにより、ヘッド２４Ａを受座３０中に挿入することができる。
【００６６】
他方、図９Ｂでは、離脱防止システムが機能を発揮しており、即ち、フック２４は、事実、そのレッグ２４Ｂが受座３０それ自体の下縁２７Ｃに当たるまで受座３０内に下降しており、ピン２５に作用することにより、その自由端部２５Ａを前方に動かし、ついには、これが器具２１から拡大ヘッド２４Ａと同一距離のところに位置するようになり、このようにして、ピン２５の自由端部２５Ａも又同一の受座３０中に挿入される。
【００６７】
この状態では、支持体２２からのフック２４の離脱があらゆる方向において阻止され、即ち、下縁２７Ｃに対するフックの本体２４Ｂの当接によって下方に阻止され、上縁２７Ａに対するピン２５の当接によって上方に阻止され、側縁２７Ｂ，２７Ｄに対するピン２５とフック２４の両方の当接によって側方に阻止される。
【００６８】
図９Ｃは、特に組物のオプションとしての調節に関して最後の組み立て時点を示しており、戸棚を壁の近くに動かすため、事実、器具２１からのフックのヘッド２４Ａの距離を減少させることが必要である（したがって、深さを調節することが必要である）。
【００６９】
この段階では、フック２４及びピン２５をねじ込み又はねじ戻すことによってフック２４とピン２５の両方に作用することが必要であり、したがって、ピン２５の末端部２５Ａ及びフック２４のヘッド２４Ａは、スライダ２３から同一の距離のところに実質的に常時位置したままであり、ヘッド２４Ａをスライダに向かって動かすと、同じことが末端部２５Ａについて同様に生じ、その結果、両方が受座３０内に常時嵌め込まれ、かくして離脱防止機能が保証される。
【００７０】
この意味において、ヘッド２５Ｃの停止手段により提供される利点を理解することができ、即ち、素人の組み立て者又はユーザは、組み立て又は調節段階中、ピン２５を過度にねじ込み又はねじ戻し、それによりピン２５がねじ山付き受座から離脱状態になってピン２５をこれから取り外すようになってしまうからである。
【００７１】
組み立て段階中、これにより、ピン２５が落下してそのためになくなり、その結果、組物は、この場合、想定されている離脱防止機能をもはや備えない。
【００７２】
ピン２５のヘッド２５Ｃと関連して停止手段を設けたことにより、この欠点が回避される。と言うのは、ユーザは、組み立て中、上述した状況と同様な状況にあるはずがないからである。
【００７３】
これら停止手段に加えて、ピンの末端部２５Ａのところに位置決めされた停止手段も又存在し、したがって、後者の停止手段は、ピンをねじ山付き受座内にねじ込んだりねじ戻りしたりする場合であってもそのねじ山付き受座から取り外すことができず、かくして上述の利点が高められる。
【００７４】
この意味において、例えば、停止手段は、次の通りであるのが良く、即ち、ヘッド２５Ｃは、図示の拡大部を備えるのが良く、これに対し、端部２５Ａは、ねじ山の平坦化だけが施されるのが良く、このように、ピンを当初ねじ込むと、これがその受座に係合することができ、次にねじ山の単純な平坦化作業により受座から取り外すことができないようになり、これは、単に適当な工具を用いることにより手作業で実施でき、この場合過剰な労力が不要である。
【００７５】
組物２０を離脱防止機能を得るためにどのように寸法決めするかを理解するために、図１５が参照されるべきであり、図１５は、細部を示しており、図中、以下のことが注目されるべきであり、即ち、
“Ｙ”がピン２５とフック２４の２本の長手方向軸線相互間の距離であり、
“ｒ”がピン２５のねじ山付きステム２５Ｂの半径であり、
“Ｒ”がフック２４のねじ山付きレッグ２４Ｂの半径であり、
“Ｄ”が受座３０の下縁２７Ｃと上縁２７Ａとの間の距離に等しい受座３０の垂直寸法であり、
“Ｈ”がねじ山付きレッグ２４Ｂの端から測定してフックの拡大ヘッド２４Ａの半径方向寸法であるとした場合、
以下の関係式、即ち、
Ｈ＞Ｄ−（ｒ＋Ｒ＋Ｙ）
が成り立たなければならず、このように、事実、ピン２５が受座３０に嵌まっている状態で、フック２４の拡大ヘッド２４Ａにより構成されるアンダーカットは、受座３０それ自体の下縁２７Ｃに当接した状態のままであり、かくして離脱防止機能が及ぼされる。
【００７６】
注目されるべきこととして、高さの考えられる調節は、離脱防止目的に関してマイナスの影響を及ぼさず、ねじ山付きドエル２８を調節することによって、事実、フック２４とピン２５の両方に一体のスライダ２３は、並進状態で引かれ、かくして、フック２４及びピン２５は、同一の往復位置に位置したままである。
【００７７】
このように、公知技術の欠点は、有利に解決され、離脱防止システムは、事実、考えられる側方運動なしで有効であり、更に、そのセットアップは、特定の注意を必要とせず、ねじの位置及び問題の寸法上の高さは、組物の一体性にとって有害である回転モーメントを生じさせない。
【００７８】
上述の形態に対して多くの変形例が明らかに可能であり、これらのうちの１つは、例えば、図１０〜図１２に示されており、この変形例は、変形形態としての支持体１２２に関する。
【００７９】
これらの図では、同一の機能を有する同一の部品は、同一の番号に１００を加えた符号で示しており、したがって、これについてはこれ以上説明しない。
【００８０】
この変形例は、フック２４を収容する２つの隣り合う窓１３０′，１３０″が設けられた支持体１２２を示しており、この変形例では、窓１３０′，１３０″の縁１２７′Ａ，１２７′Ｂ，１２７′Ｃ，１２７′Ｄ，１２７″Ａ，１２７″Ｂ，１２７″Ｃ，１２７″Ｄは、窓の周りに連続したフレームとしては構成されておらず（場合によっては、他方、支持体２２を備える）、２つの外部周縁１２７′Ｂ，１２７″Ｄが途切れており、部分的にしか構成されておらず、それぞれの窓１３０′，１３０″の周りに延び、したがって、これらは、側縁のうちの一方が開口している。
【００８１】
しかしながら、この場合も又、側方離脱防止機能が維持され、縁１２７′Ｂ，１２７″Ｄの存在により、事実、部分的にしか設けられていない場合でも、側方離脱が阻止され、この目的のため、注目されるべきこととして、事実、フック２４の軸線とピン２５の軸線との間の距離は、固定されており（両方共、実質的に平行な長手方向軸線を備えた状態の同一のスライダに取り付けられる）、したがって、側方離脱防止機能を維持するため、同じ量を上述の定義に類似していったん測定すると、“ｄ”が縁１２７′Ｂ（又は１２７″Ｄ）と上縁１２７′Ａ（又は１２７″Ａ）との間の距離であるとすると、以下の関係が成り立てば十分である。
ｄ＜（Ｙ＋ｒ＋Ｒ）＜Ｄ
【００８２】
支持体の別の変形例が図１３Ａ及び図１３Ｂに示されており、２つの別々の組み立て時点に関して図１４Ａ及び図１４Ｂに示されている。
【００８３】
この場合、支持体２２２は、これが壁に直接固定されるのに適しておらず、したがって、この目的のために用いられるねじのための穴を備えていないという点で上述の支持体２２，１２２とは異なっている。
【００８４】
他方、支持体２２２は、後側受座２２５を備え、この後側受座内には、ノーマルバーＢ、例えば金属断面材又はこれに類似した部品が挿入され、かかるノーマルバーは、ねじ又はペグによって壁に固定可能である。
【００８５】
受座２２５は、実質的に、バーＢの形態と相補した形態を有し、支持体は、これをバーＢに可動的に固定するねじ固定手段２５０を更に備えている。
【００８６】
支持体２２２は、上述の支持体２２，１２２と同様、フック２４及びピン２５が配置される受座２３０を備えている。
【００８７】
周縁に関する受座２３０の特性及びこれらとフック及びピンとの相互作用は、支持体２２又は１２２に関して上述したのと同一であり、したがって、これについてはそれ以上説明せず（離脱防止システムは、完全に類似している）、注目すべきこととして、この変形例により、有利には、ユーザは、他の機能のために必要とされていて既に稼働状態にある場合（２つの互いに異なる隣接の戸棚の場合）に市場に出ている標準形式のバーＢを採用することができる。
【００８８】
したがって、本明細書の前提部に記載した目的が達成される。
【００８９】
図示していない他の変形例では、例えば、フック２４及び／又はピン２５は、ねじ山を備えておらず、この代わりに、延長可能な本体、例えば、入れ子式、弾性等の本体を備え、同様に、ピンは、単に、２つの端位置相互間で対応の受座内でクリップ移動させることができる剛性本体から成っていても良い。
【００９０】
別の変形例が図１６Ａ〜図１６Ｃに示されている。
【００９１】
これらの図において、上述したので同一の部品は、同一の番号で示されており、したがって、これらについてはこれ以上言及しない。
【００９２】
注目されるべきこととして、この実施形態は、参照符号２５０で示されたピンの変形例を示している。ピン２５０は、そのヘッド２５０Ｃと関連して設けられた停止手段に加えて、フック２４のねじ山付きレッグ２４Ｂの長さとほぼ同じ全長を有する。
【００９３】
要するに、注目されるべきこととして、この手段では、自由端部２５０Ａがフック２４のヘッド２４Ａまで延びる必要はなく、良好な離脱防止機能を得るためには、自由端部２５０Ａは、少なくとも、フック２４のねじ山付きレッグ２４Ｂの長さに等しい長さにわたって延びれば十分である。
【００９４】
さらに、このように、別の安全状態が得られ、即ち、図９Ａ〜図９Ｃに示されている実施形態とは異なり、組み立て者は、図１６Ａに示されているように、フック２４を受座３０内に挿入することによってフック２４を支持体２２に結合し始め、ついには、フックのレッグ２４Ｂが窓３０の停止部又は下縁２７に当てられ、かくして、フッキングが行われ、この状況は、図１６Ｂに示されている。
【００９５】
最後に、図１６Ｃにおいて、組み立て者は、ピン２５０をねじ込み、それによりピンは、その受座内に入って自由端部がフックのヘッドの方向に向けられ、次に受座３０の内部に位置するようにし、次に、ピン２５０の回転を図１６Ｃの位置で、即ち、実施例においてはヘッド２５０Ｃの拡大部である停止手段がスライダ２３のねじ山及び／又は本体に当てられたときに停止させ、それによりそれ以上の回転が阻止され、したがって、最終的にはスライダ２３からのピン２５０の離脱が阻止される。
【００９６】
理解できるように、安全レベルは、この場合に一層高く、即ち、組み立て者は、事実、離脱防止システムが機能していることを知ることができる。と言うのは、この状態は、ピン２５０が停止手段の係合に起因してその受座内でもはや回転していない時点に対応しているからである。
【００９７】
本発明の範囲は、特許請求の範囲の記載に基づいて定められる。
【図１】
0005844381.tif 000002
【図２】
0005844381.tif 000003
【図３】
0005844381.tif 000004
【図４】
0005844381.tif 000005
【図５】
0005844381.tif 000006
【図６】
0005844381.tif 000007
【図７】
0005844381.tif 000008
【図８】
0005844381.tif 000009
【図９Ａ】
0005844381.tif 000010
【図９Ｂ】
0005844381.tif 000011
【図９Ｃ】
0005844381.tif 000012
【図１０】
0005844381.tif 000013
【図１１】
0005844381.tif 000014
【図１２】
0005844381.tif 000015
【図１３Ａ】
0005844381.tif 000016
【図１３Ｂ】
0005844381.tif 000017
【図１４Ａ】
0005844381.tif 000018
【図１４Ｂ】
0005844381.tif 000019
【図１５】
0005844381.tif 000020
【図１６Ａ】
0005844381.tif 000021
【図１６Ｂ】
0005844381.tif 000022
【図１６Ｃ】
0005844381.tif 000023